(57)【要約】【課題】  前面側と少なくとも一側面側が開放されたラックにおいて、ブックエンドを９０度方向を変えて付け替えることを可能とし、それによりラックの前面側又は側面側から書籍や小物類を出し入れすることを可能としたラック装置を提供する。【解決手段】  前面両側に支柱１を有し、少なくとも前面側と一側面側が開放し、底板３と適宜棚板４を備えたラック装置において、前記支柱と底板及び棚板とで作るコーナー部にブックエンド６を互いに９０度異なる向きに付け替え可能となした。【選択図】        図１
2010279514.tif 000002
【特許請求の範囲】
【請求項１】
前面両側に支柱を有し、少なくとも前面側と一側面側が開放し、底板と適宜棚板を備えたラック装置において、前記支柱と底板及び棚板とで作るコーナー部にブックエンドを互いに９０度異なる向きに付け替え可能となしたことを特徴とするラック装置。
【請求項２】
前記ブックエンドは、水平端面と垂直端面とを備え、前記垂直端面の上部にダボを突設し、前記水平端面に開口した単又は複数の挿入孔を形成し、前記支柱には、後面側と内側面側に前記ダボを係合する縦長溝を形成し、前記底板及び棚板には、前記支柱の近傍で前縁及び側縁に沿った上面に着脱可能に支持ピン立設し、該支持ピンを前記挿入孔に受け入れてなる請求項１記載のラック装置。
【請求項３】
前記ブックエンドは、水平端面と垂直端面とを備え、前記垂直端面の上部にダボを突設し、前記水平端面に開口した単又は複数の挿入孔と、該挿入孔の奥部に一側面に開口した円孔を形成し、前記支柱の側面に形成した縦長溝に前記ダボを係合し、前記底板及び棚板の縁部に螺合して立起させた支持ピンを前記挿入孔に挿入するとともに、前記円孔に嵌合した回転締付具で前記支持ピンの頭部を引き付けて着脱可能に取付けてなる請求項１記載のラック装置。
【請求項４】
前記支柱の後面側と内側面側に前記縦長溝を形成するとともに、前記支柱の近傍で前記底板及び棚板の前縁及び側縁に沿った上面に前記支持ピンを螺合する螺孔を形成してなる請求項３記載のラック装置。
【発明の詳細な説明】
【技術分野】
【０００１】
本発明は、ラック装置に係わり、更に詳しくは書籍や小物類を収納するラック装置に関するものである。
【背景技術】
【０００２】
従来から、棚板や仕切板を備えたオープンタイプのラック、書棚、キャビネット等は各種提供されている。ここで、一般的なオープンタイプのラック、書棚、キャビネットは、背面板を備えるとともに、一段又は２段以上の棚板を備え、更にブックエンドを横方向に位置変更可能に設けたものがある。
【０００３】
例えば、特許文献１には、書棚や本立等の被取付部に、連結具を介して横方向位置変更可能且つ着脱可能に仕切板を取付けてなる取付装置であって、前記被取付部には、横方向に延びた平行な開口溝を形成し、該開口溝の上下縁背面側を上係止縁と下係止縁となし、前記仕切板には、一側縁の固定面から板部に沿って内方へ通孔を形成するとともに、板部に通孔と連通する円形穴を形成し、前記連結具は、前記開口溝に嵌合する本体部の上下端に前記上係止縁と下係止縁に係合する突片を形成するとともに、本体部の前面に前記仕切板の通孔に挿入する頭付き締付ピンを突設したものであり、前記連結具の上下突片を前記開口溝の上係止縁と下係止縁に係合するとともに、前記締付ピンを前記仕切板の通孔に挿入し且つ該締付ピンの頭部を前記円形穴内に配した回転締付具に係合して引き付けて固定してなる仕切板の取付装置が記載されている。
【０００４】
ここで、前面側と少なくとも一側面側が開放されたラックでは、通常は側面側に平行にブックエンドが配置されており、ラックの前面側から書籍や小物類を出し入れすることになる。しかし、机やパネル棚と組み合わせて使用するタイプのラックでは、前面側に机等を配置して使用することも想定されるが、その場合には机の足入れ空間からら書籍や小物類を出し入れせざるを得ず、非常に煩わしくなる。
【先行技術文献】
【特許文献】
【０００５】
【特許文献１】特開２００４−０１６４７７号公報
【発明の概要】
【発明が解決しようとする課題】
【０００６】
そこで、本発明が前述の状況に鑑み、解決しようとするところは、前面側と少なくとも一側面側が開放されたラックにおいて、ブックエンドを９０度方向を変えて付け替えることを可能とし、それによりラックの前面側又は側面側から書籍や小物類を出し入れすることを可能としたラック装置を提供する点にある。
【課題を解決するための手段】
【０００７】
本発明は、前述の課題解決のために、前面両側に支柱を有し、少なくとも前面側と一側面側が開放し、底板と適宜棚板を備えたラック装置において、前記支柱と底板及び棚板とで作るコーナー部にブックエンドを互いに９０度異なる向きに付け替え可能となしたことを特徴とするラック装置を構成した（請求項１）。
【０００８】
具体的には、前記ブックエンドは、水平端面と垂直端面とを備え、前記垂直端面の上部にダボを突設し、前記水平端面に開口した単又は複数の挿入孔を形成し、前記支柱には、後面側と内側面側に前記ダボを係合する縦長溝を形成し、前記底板及び棚板には、前記支柱の近傍で前縁及び側縁に沿った上面に着脱可能に支持ピン立設し、該支持ピンを前記挿入孔に受け入れてなるのである（請求項２）。
【０００９】
あるいは、前記ブックエンドは、水平端面と垂直端面とを備え、前記垂直端面の上部にダボを突設し、前記水平端面に開口した単又は複数の挿入孔と、該挿入孔の奥部に一側面に開口した円孔を形成し、前記支柱の側面に形成した縦長溝に前記ダボを係合し、前記底板及び棚板の縁部に螺合して立起させた支持ピンを前記挿入孔に挿入するとともに、前記円孔に嵌合した回転締付具で前記支持ピンの頭部を引き付けて着脱可能に取付けてなるのである（請求項３）。
【００１０】
また、前記支柱の後面側と内側面側に前記縦長溝を形成するとともに、前記支柱の近傍で前記底板及び棚板の前縁及び側縁に沿った上面に前記支持ピンを螺合する螺孔を形成してなることが好ましい（請求項４）。
【発明の効果】
【００１１】
以上にしてなる請求項１に係る発明のラック装置は、前面両側に支柱を有し、少なくとも前面側と一側面側が開放し、底板と適宜棚板を備えたラック装置において、前記支柱と底板及び棚板とで作るコーナー部にブックエンドを互いに９０度異なる向きに付け替え可能となしたので、ラックの設置状態に応じてラックの前面側又は側面側から書籍や小物類を出し入れするができる。
【００１２】
請求項２によれば、前記ブックエンドは、水平端面と垂直端面とを備え、前記垂直端面の上部にダボを突設し、前記水平端面に開口した単又は複数の挿入孔と、該挿入孔の奥部に一側面に開口した円孔を形成し、前記支柱の側面に形成した縦長溝に前記ダボを係合し、前記底板及び棚板の縁部に螺合して立起させた支持ピンを前記挿入孔に挿入するとともに、前記円孔に嵌合した回転締付具で前記支持ピンの頭部を引き付けて着脱可能に取付けてなるので、ブックエンドを付け替えるには、該ブックエンドを持ち上げて外し、支持ピンを側面側から前面側へ、又は前面側から側面側へ付け替え、ダボを支柱の縦長溝に係合させながら挿入孔に支持ピンを挿入するだけで済むので、非常に簡単である。
【００１３】
請求項３によれば、前記ブックエンドは、水平端面と垂直端面とを備え、前記垂直端面の上部にダボを突設し、前記水平端面に開口した単又は複数の挿入孔と、該挿入孔の奥部に一側面に開口した円孔を形成し、前記支柱の側面に形成した縦長溝に前記ダボを係合し、前記底板及び棚板の縁部に螺合して立起させた支持ピンを前記挿入孔に挿入するとともに、前記円孔に嵌合した回転締付具で前記支持ピンの頭部を引き付けて着脱可能に取付けてなるので、ダボを支柱の縦長溝に係合させながら挿入孔に支持ピンを挿入した後、円孔に側方から回転締付具を嵌合して回転させて、前記支持ピンの頭部を引き付けるので、ブックエンドを確実に取付けることができ、またブックエンドを付け替えも、前記回転締付具を逆方向に回転させて緩め、ブックエンドを持ち上げて外し、支持ピンを側面側から前面側へ、又は前面側から側面側へ付け替えた後、前記同様に回転締付具で引き付けるだけで済むので簡単である。
【００１４】
請求項４によれば、前記支柱の後面側と内側面側に前記縦長溝を形成するとともに、前記支柱の近傍で前記底板及び棚板の前縁及び側縁に沿った上面に前記支持ピンを螺合する螺孔を形成してなるので、支持ピンの付け替えが簡単であり、また支柱には後面側と内側面側に縦長溝を形成するだけであるので、外観性を損なうことがないのである。
【図面の簡単な説明】
【００１５】
【図１】本発明のラック装置を示し、（ａ）は前面側から出し入れする態様の斜視図、（ｂ）は一側面側から出し入れする態様の斜視図である。
【図２】ブックエンドの支持構造を示す部分斜視図である。
【図３】本発明のラック装置の一部破断して示した側面図である。
【図４】ラックとパネル棚とを組み合わせた使用例を示す斜視図である。
【図５】ラックとパネル棚及び机とを組み合わせた使用例を示す斜視図である。
【図６】パネル棚の分解斜視図である。
【図７】ラックとパネル棚の両側に机を配置した使用例を示し、パネル棚の棚板を同一方向に向けと状態の側面図である。
【図８】ラックとパネル棚の両側に机を配置した使用例を示し、パネル棚の棚板を反対方向に向けと状態の側面図である。
【図９】仕切板の支持部材を示す斜視図である。
【図１０】仕切板をパネル棚の棚板の後部に取付けた状態の部分拡大断面図である。
【発明を実施するための形態】
【００１６】
次に、添付図面に示した実施形態に基づき、本発明を更に詳細に説明する。図１は本発明に係るラック装置を示し、図２及び図３はブックエンドの着脱可能な取付構造を示し、図４及び図５は本発明のラック装置を用いた使用例を示し、図中符号Ａはラック、Ｂは机、Ｃはパネル棚、１は支柱、２は背板、３は底板、４は棚板、５は天板、６はブックエンドをそれぞれ示している。
【００１７】
前記ラックＡは、四隅に断面四角形の支柱１を立設し、背板２と底板３、棚板４及び天板５を有し、前面側及び両側面側が開放したものであり、前側両側の支柱１，１の後面側と内側面側とにブックエンド６を、９０度向きを変えて付け替えることができるものである。
【００１８】
前記前記ブックエンド６は、水平端面７と垂直端面８とを備え、前記垂直端面８の上部にダボ９を突設し、前記水平端面７に開口した単又は複数の挿入孔１０と、該挿入孔１０の奥部に一側面に開口した円孔１１を形成し、前記支柱１の側面に形成した縦長溝１２に前記ダボ９を係合し、前記底板３及び棚板４の縁部に螺合して立起させた支持ピン１３を前記挿入孔１０に挿入するとともに、前記円孔１１に嵌合した回転締付具１４で前記支持ピン１３の頭部を引き付けて着脱可能に取付ける。
【００１９】
具体的には、前記支柱１の後面側と内側面側に前記縦長溝１２，１２を形成するとともに、前記支柱１の近傍で前記底板３及び棚板４の前縁及び側縁に沿った上面に前記支持ピン１３を螺合する螺孔１５を形成している。実際には、前記螺孔１５は、オニメナットを埋設して設ける。本実施形態では、前記支持ピン１３と回転締付具１４とで二箇所で締付けるようにしている。尚、前記回転締付具１４を用いずに、ダボ９を縦長溝１２に係合した状態で、単に立設した支持ピン１３，１３にブックエンド６の挿入孔１０，１０を挿入するだけでもブックエンド６は倒れない。
【００２０】
図１（ａ）は、ラックＡの両側面側に平行にブックエンド６，…を取付けた状態であり、この場合、ラックＡの前面側から書籍や小物類を出し入れすることができる。一方、図１（ｂ）は、ラックＡの一側面側のブックエンド６を外し、前面側に付け替えた状態を示し、この場合、一側面側から書籍や小物類を出し入れすることができる。
【００２１】
次に、本発明のラックＡと机Ｂやパネル棚Ｃと組み合わせて使用する実施形態を説明する。前記パネル棚Ｃは、図６に示すように、両側にパネル支柱１６，１６を有し、その上下端を横杆１７，１７で連結してフレーム構成し、その中にパネル板１８を保持したものである。そして、前記両パネル支柱１６，１６の側面に一定間隔毎に係合凹部１９，…とその底面に螺孔２０をそれぞれ形成している。そして、両側をブラケット２１，２１間にネジ止めして支持した棚板２２を、前記ブラケット２１の上下平行な支持杆２３，２３の端部を前記係合凹部１９，１９に係合するとともに、側方から支持杆２３，２３の端部に貫通させたネジ２４，２４を前記螺孔２０，２０に螺合して取付ける。
【００２２】
前記ブラケット２１は、上下一方の支持杆２３の長さが短く、他方は長く前部で傾斜杆２５で連続した形状であり、本実施形態では長さの長い支持杆２３の内側に棚板２２の端部を接合して側方からネジ２６で取付けている。前記ブラケット２１は上下反転させてパネル支柱１６に取付けることも、またパネル板１８の裏面側に取付けることも可能である。何れの場合にも、側方からのネジ止めによってブラケット２１をパネル支柱１６に取付けることができるので、作業が容易になる。
【００２３】
図４は、前記パネル棚Ｃの下部前面側に前記ラックＡの背面を連結した使用状態を示し、この場合、前面側から書籍や小物類を出し入れするので、該ラックＡのブックエンド６，…は全て側面側に平行になっている。つまり、図１（ａ）の状態とする。図５は、図４の配置に加え、前記ラックＡの前面側に机Ｂの側部を接合して配置した使用状態である。この場合には、前記ラックＡのブックエンド６，…は一側面側を前面側に沿った方向へ付け替える。つまり、図１（ｂ）の状態とする。
【００２４】
図７及び図８は、前記パネル棚Ｃの反対側に別の机Ｂを設置した使用例を示している。図７は、前記棚板２２，２２を同じ側に設け、図８は二つの棚板２２，２２をそれぞれ反対側に設けたものである。尚、前記机Ｂの後側に前記パネル棚Ｃの前面側を連結することも可能である。
【００２５】
最後に、図４、図９及び図１０に基づいて、棚板２２に沿って横方向に位置を変更可能な仕切板２７の取付構造を説明する。前記パネル棚Ｃの棚板２２の後端とパネル板１８との間には隙間２８を設けている。図９に示す合成樹脂製の支持部材２９を仕切板２７の下端後部に取付ける。前記支持部材２９は、側面視略Ｌ字形であり、水平部３０と垂直部３１を有するとともに、コーナー部に前記隙間２８に位置し、前記棚板２２の後縁部に係合する側面視Ｌ字形の係止部３２を有している。そして、前記仕切板２７の下端後部と後端下部にわたって、前記支持部材２９の水平部３０と垂直部３１を受け入れる凹部３３を形成し、該凹部３３内に前記支持部材２９の水平部３０と垂直部３１を嵌合した状態で、前記水平部３０をネジ３４，３４で下面側の凹部３３内に取付ける。そして、前記仕切板２７の下端面のパット３５を棚板２２の上面に当接し、前記係止部３２の前端を棚板２２の下面に当接して取付ける。この場合、前記下面側の凹部３３の深さを調節することにより、前記仕切板２７の下端面のパット３５と、前記係止部３２の先端部までの距離を調節することができ、それにより同一の支持部材２９を使うにも係わらず、簡単に棚板２２の板厚に対応させることができる。
【符号の説明】
【００２６】
Ａ  ラック、          Ｂ  机、
Ｃ  パネル棚、
１  支柱、            ２  背板、
３  底板、            ４  棚板、
５  天板、            ６  ブックエンド、
７  水平端面、        ８  垂直端面、
９  ダボ、            １０  挿入孔、
１１  円孔、          １２  縦長溝、
１３  支持ピン、      １４  回転締付具、
１５  螺孔、          １６  パネル支柱、
１７  横杆、          １８  パネル板、
１９  係合凹部、      ２０  螺孔、
２１  ブラケット、    ２２  棚板、
２３  支持杆、        ２４  ネジ、
２５  傾斜杆、        ２６  ネジ、
２７  仕切板、        ２８  隙間、
２９  支持部材、      ３０  水平部、
３１  垂直部、        ３２  係止部、
３３  凹部、          ３４  ネジ、
３５  パット。
【図１】
2010279514.tif 000003
【図２】
2010279514.tif 000004
【図３】
2010279514.tif 000005
【図４】
2010279514.tif 000006
【図５】
2010279514.tif 000007
【図６】
2010279514.tif 000008
【図７】
2010279514.tif 000009
【図８】
2010279514.tif 000010
【図９】
2010279514.tif 000011
【図１０】
2010279514.tif 000012